(57)【要約】【課題】この発明は、吸気口の開口面積が異なる複数のレンジフードに適用可能なレンジフード用整流板を提供する。【解決手段】整流板本体１２を、係止体１３を用いてレンジフード１１の吸気口１１ａに着脱自在に連結するように構成したので、吸気口１１ａの形成部付近に整流板本体１２を固定するねじ止め加工などを施す必要がない。また、整流板本体１２を複数の分割板１４により構成したので、分割板１４の使用枚数を適宜変更することで、大きさが異なる複数のレンジフード１１の吸気口１１ａに対して、１つのレンジフード用整流板１０で対応することができる。【選択図】図１
2008256306.tif 000002
【特許請求の範囲】
【請求項１】
外縁とレンジフードの内周面との間または外縁部分に通風ゾーンを有して前記レンジフードの吸気口を被う整流板本体と、
該整流板本体を前記レンジフードの吸気口の形成部に着脱自在に取り付ける係止体とを備えたレンジフード用整流板であって、
前記整流板本体が、１枚物の該整流板本体または該整流板本体を分割した複数の分割板からなるレンジフード用整流板。
【請求項２】
外縁とレンジフードの内周面との間または外縁部分に通風ゾーンを有してレンジフードの吸気口を被うアルミ箔製の整流板本体と、
該整流板本体を展張状態で前記レンジフードに着脱自在に取り付ける展張係止体とを備えたレンジフード用整流板。
【発明の詳細な説明】
【技術分野】
【０００１】
本発明は、レンジフード用整流板、詳しくは家庭の台所や料理店の厨房などに設置されたレンジフードにおいて、その吸気口に流れ込む空気の流れを整えるレンジフード用整流板に関する。
【背景技術】
【０００２】
厨房に設置されたレンジの上方には、レンジフードが据え付けられている。レンジフードは、レンジを使用した煮炊きで生じた蒸気や油煙などを含む空気を外部に排気する。
レンジフードは、レンジと対向する吸気口が下側に形成された箱状のレンジフード本体と、レンジフード本体の通気路内に設けられたファンとを備えている。使用時には、ファンの作動により吸気口から厨房内の空気などをレンジフード本体内の通路へ吸い込み、建物の外壁に形成された排気口を通してこれを大気へ解放する。
【０００３】
近年、これらの問題を解消するものとして、吸気口をその外周部分を残して塞ぐレンジフード用整流板（以下、整流板）が開発されている。
整流板は、表面形状が吸気口と相似形で、かつ吸気口の開口面積より小さい表面積の整流板本体を有し、これを複数の固定部材を介して、整流板本体の外縁と吸気口の形成壁との間に所定の隙間をあけて配置した構成のものである。
一般的な整流板は、レンジフードとシステムユニット化されている。このように整流板本体が設けられることで、吸気口に流れ込む空気の流れ、特に乱流の原因であったレンジフードの内壁付近の空気の流れが直線的な流れに整えられ、乱流による吸気効率の低下が抑制される。
一方、整流板を有さない既設のレンジフードは、レンジフード本体の形状、形式により整流板を取り付けることが困難な場合が多い。すなわち、既設のレンジフードに後付けの整流板本体のみを取り付けようとしても、例えばレンジフード本体にブラケットを取り付け、整流板本体をねじ止めするといった加工を施さなければ、整流板をレンジフード本体の吸気口に取り付けできなかった。
【０００４】
そこで、これを解消する従来技術として、例えば特許文献１に記載された既設のレンジフード用の整流板が知られている。特許文献１の整流板は、レンジフード本体に対して傾動可能に整流板本体を連結する連結傾動金具をレンジフード本体の一部に着脱自在に連結し、また整流板本体を基準姿勢で維持する姿勢維持金具を、整流板本体またはレンジフード本体の何れか一方に着脱自在に取り付けたものである。
使用時には、連結傾動金具を使ってレンジフード本体の一部に整流板本体の一端部を傾動可能に取り付け、その後、姿勢維持金具を介してレンジフード本体の他部に整流板本体の他端部を、この整流板本体の姿勢が予め設定されたものとなるように掛止する。その結果、ねじ止めなどの加工をレンジフード本体に施さなくても、整流板をレンジフード本体の吸気口に取り付けることができる。
【特許文献１】特開２００４−３７２６号公報
【発明の開示】
【発明が解決しようとする課題】
【０００５】
しかしながら、このような特許文献１に記載された既設のレンジフード用の整流板にあっては、整流板本体の大きさ（表面積）が一定であった。そのため、吸気口の開口面積（開口サイズ）が異なるレンジフードには適応することができなかった。
【０００６】
そこで、この発明は、吸気口の開口面積が異なるレンジフードに適用することができるレンジフード用整流板を提供することを目的としている。
【課題を解決するための手段】
【０００７】
請求項１に記載の発明は、外縁とレンジフードの内周面との間または外縁部分に通風ゾーンを有して前記レンジフードの吸気口を被う整流板本体と、該整流板本体を前記レンジフードの吸気口の形成部に着脱自在に取り付ける係止体とを備えたレンジフード用整流板であって、前記整流板本体が、１枚物の該整流板本体または該整流板本体を分割した複数の分割板からなるレンジフード用整流板である。
【０００８】
請求項１に記載の発明によれば、整流板本体は、係止体により例えば既設のレンジフードの吸気口に着脱自在に連結される。そのため、レンジフードの吸気口の形成部付近に整流板本体を固定するねじ止め加工などを施す必要がない。
また、整流板本体を複数の分割板から構成する場合には、分割板の使用枚数を適宜変更することで、吸気口の開口面積が異なる複数のレンジフードに対して、１つのレンジフード用整流板で対応することができる。さらに、整流板本体が１枚物の場合には、サイズ違いの整流板本体を複数作製することで、様々なサイズのレンジフードに対応することができる。
【０００９】
ここで整流板とは、板状の整流板本体が係止体によりレンジフード本体に取付けられた状態のものをいう。
通風ゾーンとは、整流板本体により塞がれた吸気口に存在し、吸気口より開口面積が小さい換気用の開口である。通風ゾーンは、整流板本体の外縁とレンジフードの内周面との間に形成されても、整流板本体の外縁部分に形成されてもよい。通風ゾーンの開口面積、通風ゾーンの開口形状は任意である。
通風ゾーン（隙間）の幅は任意であるが、２〜４ｃｍが好ましい。２ｃｍ未満では、通風ゾーンを通過する空気の平均風速が整流板を使用しない場合（例えば０．７ｍ／ｓ）の３．７倍（例えば２．６ｍ／ｓ）を超え、レンジフードの内周面へ油分の付着量は少ないものの、ファン作動時の騒音が大きくなる。また、４ｃｍを超えると、通風ゾーンを通過する空気の平均風速が整流板を使用しない場合の３．３倍（例えば２．３ｍ／ｓ）未満となり、ファン作動時の騒音は小さくなるものの、レンジフードの内周面へ油分の付着量が多くなる。なお、通風ゾーンの幅が１ｃｍの場合における同一試験条件での前記平均風速は２．７ｍ／ｓで、通風ゾーンの幅が５ｃｍの場合の平均風速は２．１ｍ／ｓである。以上の風速値は、レンジフード試験機により測定したデータである。
整流板本体の素材としては、例えば各種の金属（ステンレス、アルミニウムなど）、各種の合成樹脂（耐熱性を有した素材が好ましい。例えばエポキシ樹脂、ケイ素樹脂）などを採用することができる。整流板本体は、剛体でも弾性体でもよい。または布帛のように自在に湾曲するものでもよい。整流板本体は、気体を通さない非通気性のものでなければならない。
【００１０】
整流板本体の平面視した形状は、レンジフードの吸気口に応じて適宜変更することができる。
整流板本体は、１枚物のものでも、整流板本体を分割した複数の分割板からなるものでもよい。
分割板（部分整流板本体）は、整流板本体に対して、整流板本体の表面から仮想の切断線に沿って複数枚の板片に分けたものである。分割板は、整流板本体を２分割、３分割、４分割以上したものを採用することができる。各分割板の大きさは均一、不均一のどちらでもよい。
係止体としては、例えばクリップ、面状ファスナ、マグネット、両面テープ、フック、ホック、雄雌掛止構造体などを採用することができる。
レンジフードは浅型タイプ、深型タイプの何れでもよい。
レンジフードの吸気口の形状は、例えば吸気口と正対して矩形状でもよい。吸気口の大きさは任意である。
【００１１】
請求項２に記載の発明は、外縁とレンジフードの内周面との間または外縁部分に通風ゾーンを有してレンジフードの吸気口を被うアルミ箔製の整流板本体と、該整流板本体を展張状態で前記レンジフードに着脱自在に取り付ける展張係止体とを備えたレンジフード用整流板である。
【００１２】
請求項２に記載の発明によれば、使用時には、外縁とレンジフードの内周面との間または外縁部分に通風ゾーンを形成して、レンジフードの吸気口をアルミ箔製の整流板本体により被う。このとき、アルミ箔からなる整流板本体は、ファンの吸引力の作用に抗して係止体により展張状態が維持される。その結果、湾曲自在なアルミ箔でありながら、ファンを作動させてもその吸引圧力により整流板本体が大きく変形することはなく、整流板本体としての機能を果たす。
また、整流板本体としてアルミ箔製のものを採用したので、レンジフードのサイズが異なる吸気口に対応して、整流板本体のサイズ変更（面積変更）が容易となる。しかも、アルミ箔製のレンジフードは安価である。そのため、汚れた整流板本体を除去し、新しい整流板を使用するという整流板本体の使い捨ても可能となる。
【００１３】
アルミ箔とは、アルミニウム製の箔で、その厚さは数μｍ〜数百μｍ（例えば６〜２００μｍ）である。このうち、レンジフード用整流板としては、整流板としての適度な強度が得られる１０〜２０μｍが好ましい。
展張係止体は、アルミ箔の整流板本体を展張状態でレンジフードに着脱自在に取り付け可能であれば、その種類、形状、素材、大きさなどは任意である。例えば、クリップ、面状ファスナ、マグネット、両面テープ、フック、ホック、雄雌掛止構造体、整流板本体の端部が巻き付けられる巻き付け部材（例えば棒、枠）などを採用することができる。
【発明の効果】
【００１４】
請求項１に記載の発明によれば、このように整流板本体を、係止体を用いてレンジフードの吸気口に着脱自在に連結するように構成したので、レンジフードの吸気口の形成部付近に整流板本体を固定するねじ止め加工などを施す必要がない。
また、整流板本体を複数の分割板により構成した場合には、分割板の使用枚数を適宜変更することで、大きさが異なる複数のレンジフードの吸気口に対して、１つのレンジフード用整流板で対応することができる。
【００１５】
特に、請求項２に記載の発明によれば、整流板本体として、外縁とレンジフードの内周面との間または外縁部分に通風ゾーンを有してレンジフードの吸気口を被うアルミ箔製のものを採用したので、湾曲自在なアルミ箔でありながら、ファンを作動させてもその吸引圧力により整流板本体が大きく変形せず、整流板本体としての機能を維持することができる。
また、整流板本体としてアルミ箔を採用したので、レンジフードのサイズが異なる吸気口に対応して、整流板本体のサイズ変更が容易となる。しかも、アルミ箔製のレンジフードは安価である。そのため、整流板本体の使い捨てが可能となる。
【発明を実施するための最良の形態】
【００１６】
以下、この発明の実施例を具体的に説明する。なお、説明の都合上、レンジフードの平面視して矩形状の吸気口の長さ方向をＸ方向（Ｘ１−Ｘ２方向）、その吸気口の幅方向をＹ方向（Ｙ１−Ｙ２方向）、吸気口の奥行き方向をＺ方向（Ｚ１−Ｚ２方向）とする。
【実施例１】
【００１７】
図１および図２において、１０はレンジフード用整流板である。レンジフード用整流板１０は、外縁部分に通風ゾーンＺを有してレンジフード１１の吸気口１１ａを被う整流板本体１２と、整流板本体１２をレンジフード１１の吸気口１１ａの形成部に着脱自在に取り付ける係止体１３とを備え、整流板本体１２が、この整流板本体１２を２つに分割した一対の分割板１４からなる。
レンジフード１１は、厨房のレンジ（コンロ）の上方にあって、建物と一体化（システムユニット化）して据え付けられ、コンロを使用した煮炊き、油揚げなどで生じた蒸気、油煙などを含む空気を外部に排気する。レンジフード１１は、下面の中央に平面視して矩形状の吸気口１１ａが形成された薄い鉄板を箱状に板金加工したレンジフード本体１５と、レンジフード本体１５の内部に設けられ、台所内の空気を吸気口１１ａから吸気し、建物の外壁に形成された排気口から排気する図示しないファンとを有している。
【００１８】
以下、レンジフード用整流板１０の各構成部品を詳細に説明する。両分割板１４はそれぞれ同じサイズおよび同じ構造を有するので、ここでは一方の分割板１４のみについて、構成などを説明する。
分割板１４はアルミニウム板製で、吸気口１１ａをＸ方向の中間位置から左右に略２分割した大きさを有している。そのため、分割板１４はＹ方向に長い矩形状の板である。
分割板１４の各辺部には、対応する辺と平行な合計４つの前記通風ゾーンＺが形成されている。各通風ゾーンＺは幅３ｃｍの長孔である。また、分割板１４の中央部一帯には、分割板１４の補強のため、平面視して矩形状の段差部１４ａが形成されている。また、分割板１４の長さ方向の両辺部の中間部には、分割板１４の裏方向へ延びてマグネットＭが付いた前記係止体１３がそれぞれ突設されている。
【００１９】
次に、この実施例１に記載のレンジフード用整流板１０の使用方法を説明する。
図１に示すように、長さ方向をＹ方向に向けた２枚の分割板１４を、レンジフード１１の吸気口１１ａの形成部に、互いの隣接側の辺部を重ね合わせた状態で各係止体１３のマグネットＭの磁力により固定する。これにより、レンジフード１１の吸気口１１ａが、外縁部分および長さ方向の中間部に合計８つの通風ゾーンＺを有して整流板本体１２により塞がれる。
ファンを作動させると、厨房内の空気が各通風ゾーンＺを通過してレンジフード１１に高速で吸い込まれる。これにより、吸気口１１ａからの吸気に伴い、吸気口１１ａの付近での乱流が防止され、吸気効率の低下が抑制される。各分割板１４は、マグネットＭによりレンジフード１１の吸気口１１ａの形成部に磁着される。このように、各分割板１４のレンジフード１１への取り付けにマグネットＭによる磁着を採用したので、吸気口１１ａの形成部における各分割板１４の取り付け位置（固定位置、係止位置）の変更が自在となる。
【００２０】
また、整流板本体１２を、係止体１３を用いてレンジフード１１の吸気口１１ａに着脱自在に連結するように構成したので、レンジフード１１の吸気口１１ａの形成部付近に整流板本体１２を固定するねじ止め加工などを施す必要がない。また、整流板本体１２を複数の分割板１４により構成したので、分割板１４の使用枚数を適宜変更することで、大きさが異なる複数のレンジフード１１の吸気口１１ａに対して、１つのレンジフード用整流板１０で対応することができる。
なお、整流板本体１２を吸気口１１ａの形成部に係止する方法としては、マグネットＭ付きの係止体１３に代えて、Ｕ字クリップ（係止体）１３Ａ（図３）、中央部の円筒体１３ａの軸線方向の両端から、突出長さを調整可能な突っ張り部材１３ｂが突出したアンカー棒（係止体）１３Ｂを採用してもよい（図４）。なお、Ｕ字クリップ１３Ａを使用する場合には、Ｕ字クリップ１３Ａを介して、整流板本体１２をレンジフード１１の吸気口１１ａの形成部に枠組された起立板１１ｂに係止すればよい。
【実施例２】
【００２１】
次に、図５および図６を参照して、この発明の実施例２に係るレンジフード用整流板１０Ａを説明する。
図５および図６に示すように、実施例２に係るレンジフード用整流板１０Ａは、一部が重なり合う２枚の分割板１４Ａ同士が、Ｘ方向へスライド自在に連結された構造を有したものである。図示しないが、一方の分割板１４Ａの両長辺部には、他方の分割板１４Ａの長辺部をスライド自在に掛止するＸ方向に長い断面コの字形状のスライドガイド１７がそれぞれ形成されている。整流板本体１２Ａは、これらのスライドガイド１７を介して、Ｘ方向へ長さ調整自在（スライド自在）となっている。
なお、前記マグネットＭ付きの両係止体１３は、一方の分割板１４ＡのＸ１側の辺部の長さ方向の中間部分と、他方の分割板１４ＡのＸ２側の辺部の長さ方向の中間部分とにそれぞれ突設されている。
使用時には、レンジフード１１の吸気口１１ａの大きさに応じて、両分割板１４Ａの重ね合わせの度合いを両スライドガイド１７を利用して変更し、整流板本体１２Ａの大きさを調整する（図６）。両分割板１４Ａが互いにスライド自在であるため、吸気口１１ａの大きさに対する自由度が大きい。
その他の構成、作用および効果は実施例１から推測可能な範囲であるので説明を省略する。
【実施例３】
【００２２】
次に、図７〜図１０を参照して、この発明の実施例３に係るレンジフード用整流板１０Ｃを説明する。
図７〜図９に示すように、実施例３に係るレンジフード用整流板１０Ｃは、平面視して外縁とレンジフード１１の内周面との間に通風ゾーンＺを有して前記吸気口１１ａを被うアルミ箔製の整流板本体１２Ｂと、レンジフード１１に整流板本体１２Ｂを展張状態で着脱自在に取り付ける一対の展張係止体１６とを備えた構成を有している。
以下、各構成部品の構成を詳細に説明する。
整流板本体１２Ｂは、Ｘ方向へ長い厚さ１０μｍのアルミホイル製で、その表面形状は吸気口１１ａと相似の矩形状である。整流板本体１２Ｂの大きさは、吸気口１１ａの開口面積と略同じである。
両展張係止体１６はＹ方向へ長い矩形枠で、レンジフード１１のＸ方向の両側板１１ｃの吸気口１１ａの形成部に係止される（図１０）。両展張係止体１６のＹ方向の両端部には、長辺側の枠辺部１６ａ，１６ｂ同士を連結する一対の短尺な補強枠部１６ｃが横架されている。補強枠部１６ｃは、整流板本体１２Ｂの幅方向の位置決めを行うとともに、展張係止体１６のＹ方向の両端部に通風ゾーンＺを形成する。両長辺側の枠辺部１６ａ，１６ｂのうち、整流板本体１２Ｂとの対向側とは反対側の枠辺部１６ｂには、前記マグネットＭ付きの係止体１３がそれぞれ突設されている。
【００２３】
次に、実施例３に係るレンジフード用整流板１０Ｃの使用方法を説明する。
まず、レンジフード１１の両側板１１ｃの吸気口１１ａの形成部に、マグネットＭを介して、両展張係止体１６をそれぞれ磁着する。これにより、両展張係止体１６の整流板本体１２Ｂとの対向側の枠辺部１６ａが対向配置される。その後、整流板本体１２Ｂの長さ方向（Ｘ方向）の端部を、整流板本体１２Ｂとの対向側の枠辺部１６ａでかつ両補強枠部１６ｃ間の部分にそれぞれ巻き付け、整流板本体１２Ｂを展張させる（図７）。なお、両展張係止体１６を吸気口１１ａの形成部に磁着する前に、この整流板本体１２Ｂの巻き付け作業を行ってもよい。整流板本体１２Ｂの展張により、整流板本体１２Ｂの４辺と、レンジフード１１の対応する各側板との間に通風ゾーンＺがそれぞれ形成される。
このように、整流板本体１２Ｂとして、両展張係止体１６により長さ方向の両端部が保持されるアルミ箔を採用したので、湾曲自在なアルミ箔でありながら、ファンを作動させてもその吸引圧力により整流板本体１２Ｂが大きく変形せず、整流板本体１２Ｂとしての機能を維持することができる。
しかも、アルミ箔製の整流板本体１２Ｂを採用したので、レンジフード１１のサイズが異なる吸気口１１ａに対応して、整流板本体１２Ｂのサイズ変更が容易となる。しかも、アルミ箔製のレンジフード１１は安価であるので、整流板本体１２Ｂが汚れた場合には整流板本体１２Ｂの使い捨てが可能となる。
その他の構成、作用および効果は、実施例１から推測可能な範囲であるので説明を省略する。
【実施例４】
【００２４】
次に、図１１および図１２を参照して、この発明の実施例４に係るレンジフード用整流板１０Ｄを説明する。
図１１および図１２に示すように、実施例４のレンジフード用整流板１０Ｄは、展張係止体１６に代えて、整流板本体１２の両端部がそれぞれ巻き付けられる１対の巻き付け棒１８と、両巻き付け棒１８をそれぞれ挟む２対の樹脂クリップ１９とを備える構成を有した展張係止体１６Ａを採用した例である。
以下、各構成部品の構成を詳細に説明する。
【００２５】
両巻き付け棒１８は、アルミ箔製の整流板本体１２Ｂの幅と略同じ長さを有する細長い角棒で、その両端には整流板本体１２Ｂの幅方向の位置決めを行う一対の立方体ブロック２０が配設されている。
各樹脂クリップ１９は、一端部が把持爪部１９ａで他端部が指操作入力部１９ｂとなった２つの把持部材２１を有している。両把持部材２１の長さ方向の中間部同士は、回動軸２２により回動自在に連結されている。また、一方の把持部材２１の指操作入力部１９ｂには、先端が他方の把持部材２２の指操作入力部１９ｂに固定された係止体の一部を構成するマグネットケース２３に当接される樹脂製の板ばね１９ｃの元部が連結されている。この板ばね１９ｃのばね力によって、両把持爪部１９ａは常時閉状態となっている。マグネットケース２３には、樹脂クリップ１９をレンジフード１１に磁着するマグネットＭが収納されている。マグネットＭは、一方の把持部材２１の指操作入力部側の端面にケース奥板を固定したことで、樹脂クリップ１９の後方（樹脂クリップ１９の把持爪部１９ａより外方を前方とした場合）に配置されている。その他、マグネットＭを一方の把持部材２２の回動軸側とは反対側に配置してもよい。
【００２６】
次に、実施例４のレンジフード用整流板１０Ｄの使用方法を説明する。
２本の巻き付け棒１８に、整流板本体１２Ｂの長さ方向の両端部をそれぞれ巻き付ける。その後、整流板本体１２Ｂの上から両巻き付け棒１８の長さ方向の両端部を、それぞれ樹脂クリップ１９により把持する。次に、整流板本体１２Ｂを展張した状態で、各樹脂クリップ１９をレンジフード１１の吸気口１１ａの形成部に磁着し、外縁とレンジフード１１の内周面との間に通風ゾーンＺを形成して整流板本体１２Ｂにより吸気口１１ａを塞ぐ。
このように、整流板本体１２Ｂの両端部を一対の巻き付け棒１８にそれぞれ巻き付け、両巻き付け棒１８を各樹脂クリップ１９に挟んでレンジフード１１に係止するようにしたので、レンジフード１１への整流板本体１２Ｂの展張状態での着脱が容易で、かつ部品点数が少なく低コスト化も図れる。
【００２７】
別の展張係止体１６としては、例えば、アルミ箔製の整流板本体１２の長さ方向の両端部に貼着される両面テープ１６Ｂを採用することができる（図１３）。また、他の展張係止体１６として、整流板本体１２の長さ方向の両端部の全体を挟持可能なＹ方向に長い大判のクリップ１６Ｃを採用することができる。クリップ１６Ｃの長さ方向の両端部の裏面には、レンジフード１１に磁着するためのマグネットＭが配設されている（図１４）。
その他の構成、作用および効果は、実施例３から推測可能な範囲であるので説明を省略する。
【図面の簡単な説明】
【００２８】
【図１】この発明の実施例１に係るレンジフード用整流板の使用状態を示す斜視図である。
【図２】この発明の実施例１に係るレンジフード用整流板のレンジフードへの取り付け作業状態を示す斜視図である。
【図３】この発明の実施例１に係るレンジフード用整流板の他の使用形態の概略構成を示す正面図である。
【図４】この発明の実施例１に係るレンジフード用整流板の別の使用形態の概略構成を示す正面図である。
【図５】この発明の実施例２に係るレンジフード用整流板の使用状態を示す斜視図である。
【図６】この発明の実施例２に係るレンジフード用整流板のレンジフードへの取り付け作業状態を示す斜視図である。
【図７】この発明の実施例３に係るレンジフード用整流板の使用状態を示す斜視図である。
【図８】この発明の実施例３に係るレンジフード用整流板の展張係止体のレンジフードへの取り付け作業状態を示す斜視図である。
【図９】この発明の実施例３に係るレンジフード用整流板のアルミ箔の展張係止体への取り付け作業状態を示す斜視図である。
【図１０】この発明の実施例３に係るレンジフード用整流板のアルミ箔の展張係止体への取り付け作業状態を示す斜視図である。
【図１１】この発明の実施例４に係るレンジフード用整流板のアルミ箔の展張係止体への取り付け作業状態を示す斜視図である。
【図１２】この発明の実施例４に係るレンジフード用整流板の使用状態を示す縦断面図である。
【図１３】この発明の他の実施態様に係るレンジフード用整流板のレンジフードへの取り付け作業状態を示す縦断面図である。
【図１４】この発明の他の実施態様に係るレンジフード用整流板のアルミ箔への展張係止体の取り付け状態を示す斜視図である。
【符号の説明】
【００２９】
１０，１０Ａ〜１０Ｄ  レンジフード用整流板、
１１  レンジフード、
１１ａ  吸気口、
１２，１２Ａ，１２Ｂ  整流板本体、
１３  係止体、
１４，１４Ａ  分割板、
１６，１６Ａ〜１６Ｃ  展張係止体、
Ｚ  通風ゾーン。
【図１】
2008256306.tif 000003
【図２】
2008256306.tif 000004
【図３】
2008256306.tif 000005
【図４】
2008256306.tif 000006
【図５】
2008256306.tif 000007
【図６】
2008256306.tif 000008
【図７】
2008256306.tif 000009
【図８】
2008256306.tif 000010
【図９】
2008256306.tif 000011
【図１０】
2008256306.tif 000012
【図１１】
2008256306.tif 000013
【図１２】
2008256306.tif 000014
【図１３】
2008256306.tif 000015
【図１４】
2008256306.tif 000016